(57)【要約】      （修正有）【課題】電線と端子との電気的な接続信頼性を向上させる。【解決手段】芯線１２を有する電線の芯線１２に雌端子が接続された端子付き電線であって、雌端子は、芯線１２が載置される底部２２から延出されて、芯線１２の外周に巻き付くように圧着される一対のワイヤーバレル２５Ｌ，２５Ｒを有し、芯線１２は、雌端子の引張強さよりも大きな素線１１を含み、一対のワイヤーバレル２５Ｌ，２５Ｒが芯線１２に圧着された状態において、一対のワイヤーバレル２５Ｌ，２５Ｒの内側には、複数の素線１１のうち、少なくとも、第１素線１１Ｊと、第２素線１１Ｋと、第３素線１１Ｌとが、芯線１２の延び方向と交差する方向に並んでおり、一対のワイヤーバレル２５Ｌ，２５Ｒの一方の先端部は、第１素線１１Ｊと第２素線１１Ｋとの間に入り込んでおり、一対のワイヤーバレル２５Ｌ，２５Ｒの他方の先端部は、第２素線１１Ｋと第３素線１１Ｌとの間に入り込んでいる。【選択図】図２
2019114516.tif 000002
【特許請求の範囲】
【請求項１】
芯線を有する電線の前記芯線に端子が接続された端子付き電線であって、
前記端子は、前記芯線が載置される底部から延出されて、前記芯線の外周に巻き付くように圧着される一対のワイヤーバレルを有し、
前記芯線は、前記端子を構成する金属の引張強さよりも大きな引張強さを有する金属からなる複数の素線を含み、
前記一対のワイヤーバレルが前記芯線に圧着された状態において、
前記一対のワイヤーバレルの内側には、前記複数の素線のうち、少なくとも、第１素線と、第２素線と、第３素線とが、前記芯線の延び方向と交差する交差方向に並んでおり、
前記一対のワイヤーバレルの一方の先端部は、前記第１素線と前記第２素線との間に入り込んでおり、前記一対のワイヤーバレルの他方の先端部は、前記第２素線と前記第３素線との間に入り込んでいる、端子付き電線。
【請求項２】
前記一対のワイヤーバレルの先端部の、前記第１素線と前記第２素線との間、及び、前記第２素線と前記第３素線との間に入り込んだ嵌入寸法は、前記一対のワイヤーバレルが前記芯線に圧着される前の状態における各前記複数の素線の半径Ｒｗと同じか、又は、より大きく設定されている、請求項１に記載の端子付き電線。
【請求項３】
前記複数の素線は７本以下である、請求項１または請求項２に記載の端子付き電線。
【請求項４】
前記一対のワイヤーバレルのうち、前記第１素線と前記第２素線との間、及び、前記第２素線と前記第３素線との間から露出した部分には、互いに当接する当接部が形成されている、請求項１から請求項３のいずれか一項に記載の端子付き電線。
【請求項５】
前記芯線に圧着された状態における前記一対のワイヤーバレルのそれぞれの外面の曲率半径Ｒｂは、
前記一対のワイヤーバレルが前記芯線に圧着される前の状態における前記ワイヤーバレルの厚さ寸法Ｔ、及び前記素線の半径Ｒｗと、下記の式（１）の関係を充足する、請求項１から請求項４のいずれか一項に記載の端子付き電線。
Ｒｂ＞Ｔ＋Ｒｗ      式（１）
【請求項６】
前記複数の素線は７本であり、
前記一対のワイヤーバレルが前記芯線に圧着された状態における、前記底部の前記交差方向についての幅寸法Ｗは、
前記一対のワイヤーバレルが前記芯線に圧着される前の状態における前記素線の直径Ｄｗと、下記の式（２）の関係を充足する、請求項１から請求項４のいずれか一項に記載の端子付き電線。
Ｗ＞４×Ｄｗ      式（２）
【請求項７】
前記一対のワイヤーバレルが前記芯線に圧着された状態で、前記底部は前記交差方向における中央部が外方に膨出しており、
前記底部の内面における、前記交差方向の中央部と、前記交差方向の端部との間の高さ寸法Ｈｂは、
前記一対のワイヤーバレルが前記芯線に圧着される前の状態における前記素線の半径Ｒｗと、下記の式（３）の関係を充足する、請求項１から請求項４のいずれか一項に記載の端子付き電線。
Ｈｂ＞Ｒｗ      式（３）
【発明の詳細な説明】
【技術分野】
【０００１】
本明細書に開示された技術は、電線の端部に端子金具が接続された端子付き電線に関する。
【背景技術】
【０００２】
従来、電線の芯線に端子が接続された端子付き電線として、特開２００９−１１７０３９号公報に記載のものが知られている。芯線は、導電性の金属からなる複数の素線を含む。端子は、芯線が載置される底部を有し、この底部からは一対のワイヤーバレルが延出されている。一対のワイヤーバレルは、芯線の外周に巻き付くように圧着されている。これにより、電線と端子とが電気的に接続されるようになっている。
【先行技術文献】
【特許文献】
【０００３】
【特許文献１】特開２００９−１１７０３９号公報
【発明の概要】
【発明が解決しようとする課題】
【０００４】
近時、電線の細径化が求められている。電線を細径化すると、電線に加えられた外力に対して芯線が十分な強度を有しない虞がある。このため、外力によって芯線に不具合が発生することを抑制するために、芯線を構成する素線の強度を向上させることが考えられる。
【０００５】
しかしながら上記の構成によると、端子を構成する金属材料の強度よりも、素線を構成する金属材料の強度の方が大きくなる場合がある。このような場合、複数の素線を含む芯線の外周にワイヤーバレルを圧着しても、ワイヤーバレルの先端部が芯線の内部に押し込まれないことが懸念される。すると、ワイヤーバレルを拡開変形させようとする方向の力がワイヤーバレルに作用した場合に、ワイヤーバレルの先端が芯線から離間してしまい、電線と端子との電気的な接続信頼性が低下する虞がある。
【０００６】
本明細書に開示された技術は上記のような事情に基づいて完成されたものであって、電線と端子と間の電気的な接続信頼性が向上した端子付き電線を提供することを目的とする。
【課題を解決するための手段】
【０００７】
本明細書に開示された技術は、芯線を有する電線の前記芯線に端子が接続された端子付き電線であって、前記端子は、前記芯線が載置される底部から延出されて、前記芯線の外周に巻き付くように圧着される一対のワイヤーバレルを有し、前記芯線は、前記端子を構成する金属の引張強さよりも大きな引張強さを有する金属からなる複数の素線を含み、前記一対のワイヤーバレルが前記芯線に圧着された状態において、前記一対のワイヤーバレルの内側には、前記複数の素線のうち、少なくとも、第１素線と、第２素線と、第３素線とが、前記芯線の延び方向と交差する交差方向に並んでおり、前記一対のワイヤーバレルの一方の先端部は、前記第１素線と前記第２素線との間に入り込んでおり、前記一対のワイヤーバレルの他方の先端部は、前記第２素線と前記第３素線との間に入り込んでいる。
【０００８】
上記の構成によれば、一対のワイヤーバレルの双方の先端部は、第１素線、第２素線、及び第３素線によって挟持されるので、一対のワイヤーバレルが開くことを抑制することができる。これにより、電線と端子との電気的な接続信頼性を向上させることができる。
【０００９】
本明細書に開示された技術の実施態様としては以下の態様が好ましい。
【００１０】
前記一対のワイヤーバレルの先端部の、前記第１素線と前記第２素線との間、及び、前記第２素線と前記第３素線との間に入り込んだ嵌入寸法は、前記一対のワイヤーバレルが前記芯線に圧着される前の状態における各前記複数の素線の半径Ｒｗと同じか、又は、より大きく設定されていることが好ましい。
【００１１】
上記の構成によれば、一対のワイヤーバレルの先端部は、第１素線、第２素線、及び第３素線の間に、少なくとも素線の半径Ｒｗと同じか、又はより深く入り込む。これにより、一対のワイヤーバレルの先端部は、第１素線、第２素線、及び第３素線によって確実に挟持されるので、電線と端子との電気的な接続信頼性を一層向上させることができる。
【００１２】
芯線が比較的に細径である場合には、芯線の破断を抑制するために、芯線を構成する素線の引張強度を比較的に大きくすることが求められる。このように、複数の素線が７本以下であるような、芯線が比較的に細径である場合に、本願発明は有効である。
【００１３】
前記一対のワイヤーバレルのうち、前記第１素線と前記第２素線との間、及び、前記第２素線と前記第３素線との間から露出した部分には、互いに当接する当接部が形成されていることが好ましい。
【００１４】
上記の構成によれば、当接部において一対のワイヤーバレルが当接することにより、一対のワイヤーバレルが開くことを抑制することができる。これにより、電線と端子との電気的な接続信頼性を一層向上させることができる。
【００１５】
前記芯線に圧着された状態における前記一対のワイヤーバレルのそれぞれの外面の曲率半径Ｒｂは、前記一対のワイヤーバレルが前記芯線に圧着される前の状態における前記ワイヤーバレルの厚さ寸法Ｔ、及び前記素線の半径Ｒｗと、下記の式（１）の関係を充足することが好ましい。
Ｒｂ＞Ｔ＋Ｒｗ      式（１）
【００１６】
上記の構成によれば、一対のワイヤーバレルのうち屈曲した形状をなす部分の内側の領域に、少なくとも１本の素線を収容可能なスペースを設けることができる。これにより、一対のワイヤーバレルの先端部を、芯線の内部により深く入り込ませることができる。
【００１７】
前記複数の素線は７本であり、前記一対のワイヤーバレルが前記芯線に圧着された状態における、前記底部の前記交差方向についての幅寸法Ｗは、前記一対のワイヤーバレルが前記芯線に圧着される前の状態における前記素線の直径Ｄｗと、下記の式（２）の関係を充足することが好ましい。
Ｗ＞４×Ｄｗ      式（２）
【００１８】
上記の構成によれば、底部の内部において、少なくとも４本の素線が交差方向に並ぶスペースを確保することができる。これにより、底部に並べられた４つの素線に重ねて、一対のワイヤーバレルの内側の位置に、第１素線、第２素線、及び第３素線を確実に配置することができる。これにより、の先端部を、第１素線、第２素線、及び第３素線の間に入り込ませることができる。
【００１９】
前記一対のワイヤーバレルが前記芯線に圧着された状態で、前記底部は前記交差方向における中央部が外方に膨出しており、前記底部の内面における、前記交差方向の中央部と、前記交差方向の端部との間の高さ寸法Ｈｂは、前記一対のワイヤーバレルが前記芯線に圧着される前の状態における前記素線の半径Ｒｗと、下記の式（３）の関係を充足することが好ましい。
Ｈｂ＞Ｒｗ      式（３）
【００２０】
上記の構成によれば、底部の内部において、交差方向の中央位置に配された素線は、交差方向の両端部に配された素線よりも、少なくとも素線の半径の分だけ外方にずれた位置に配されている。これにより、第２素線を、少なくとも素線の半径の分だけ外方にずれた位置に配することができる。これにより、一対のワイヤーバレルの先端部を、芯線の内部により深く入り込ませることができる。
【発明の効果】
【００２１】
本明細書に開示された技術によれば、電線と端子と間の電気的な接続信頼性を向上させることができる。
【図面の簡単な説明】
【００２２】
【図１】実施形態１に係る端子付き電線を示す側面図
【図２】ワイヤーバレルにおける芯線の圧着構造を示す断面図
【図３】ワイヤーバレルにおける芯線の圧着構造を示す断面図
【図４】ワイヤーバレルにおける芯線の圧着構造を示す断面図
【図５】電線と、ワイヤーバレルとを示す断面図
【図６】アンビルとクリンパによるワイヤーバレルの圧着工程を示す断面図
【図７】比較例に係る、ワイヤーバレルにおける芯線の圧着構造を示す断面図
【発明を実施するための形態】
【００２３】
＜実施形態１＞
本明細書に開示された技術の実施形態１を図１から図７を参照しつつ説明する。本実施形態では、図１に示すように、電線１３の端末に雌端子２０（端子の一例）が接続された端子付き電線１０を例示している。以下の説明においては、Ｚ方向を上方とし、Ｙ方向を前方とし、Ｘ方向を左方として説明する。また、複数の同一部材については、一の部材に符号を付し、他の部材については符号を省略する場合がある。
【００２４】
（電線１３）
図５に示すように、電線１３は、芯線１２の外周が、合成樹脂製の絶縁被覆１４により覆われた構造となっている。芯線１２は、導電性を有する金属製の複数（本実施形態では７本）の素線１１を含む。芯線１２は、複数の素線１１が撚り合わされた撚り線とされる。芯線１２は、複数の素線１１のうち１本の中心素線１１Ａを中心軸として、他の６本の周辺素線１１Ｂが、螺旋状に撚り合わされている。本実施形態に係る芯線１２の断面積は、０．０５ｍｍ２である。なお、芯線１２の断面積は上記の値に限定されない。
【００２５】
素線１１を構成する金属としては、銅、銅合金、アルミニウム、アルミニウム合金等、必要に応じて任意の金属を適宜に選択できる。本実施形態においては、素線１１を構成する金属としては、銅、又は銅合金が用いられる。
【００２６】
後述するワイヤーバレル２５Ｌ，２５Ｒが圧着される前の状態においては、素線１１の断面形状は円形状をなしている。なお、素線１１の断面形状は真円形状であってもよく、また、真円形状でなくとも実質的に円形状と認められる程度であってもよい。各素線１１の半径は符号Ｒｗで表されており、各素線１１の直径はＤｗで表されている。
【００２７】
（雌端子２０）
図１に示すように、雌端子２０は、導電性に優れた金属板をプレス加工することで形成され、相手の雄端子（図示せず）と電気的に接続される略角筒形をなす接続筒部２１の後方に、ワイヤーバレル２５Ｌ，２５Ｒと、インシュレーションバレル２６とが設けられた構造である。
【００２８】
雌端子２０を構成する金属としては、銅、銅合金、アルミニウム、アルミニウム合金等、必要に応じて任意の金属を適宜に選択することができる。本実施形態では、銅、又は銅合金が用いられる。
【００２９】
接続筒部２１の内部には、図示しない弾性接触片が設けられている。接続筒部２１内に雄端子のタブが挿入され、弾性接触片と弾性的に接触することにより、雄端子と雌端子２０とが電気的に接続されるようになっている。
【００３０】
図５に示すように、ワイヤーバレル２５Ｌ，２５Ｒは、オープンバレル形式であって、左右一対の幅広のワイヤーバレル２５Ｌ，２５Ｒが、底部２２の左右の側縁から互いに対向するようにして立ち上がる形態で底部２２に連設されている。芯線１２に圧着される前のワイヤーバレル２５Ｌ，２５Ｒの厚さ寸法は符号Ｔで表されている。また、
【００３１】
ワイヤーバレル２５Ｌ，２５Ｒは、各ワイヤーバレル２５Ｌ，２５Ｒを上下方向から圧着することで上記した電線１３の芯線１２の端末にかしめ圧着される。芯線１２は、底部２２に載置された状態では、前後方向に延びて配されている。図２に示すように、両ワイヤーバレル２５Ｌ，２５Ｒがそれぞれの先端部同士を突き当てつつ、芯線１２の端末の全周を包むように扁平形状をなして芯線１２に圧着されるようになっている。これにより、電線１３と雌端子２０とが電気的に接続される。
【００３２】
一対のワイヤーバレル２５Ｌ，２５Ｒが芯線１２に圧着された状態における、底部２２の左右方向の幅寸法は符号Ｗで表されている。
【００３３】
インシュレーションバレル２６は、オープンバレル形式であって、ワイヤーバレル２５Ｌ，２５Ｒよりも幅狭で背が高い左右一対のインシュレーションバレル２６が、同じく底部２２の左右の側縁から互いに対向するようにして立ち上がる形態で底部２２に連設されている。インシュレーションバレル２６は、各インシュレーションバレル２６を上下方向から圧着することで上記した電線１３の絶縁被覆１４の端末にかしめ圧着される。インシュレーションバレル２６は、絶縁被覆１４の端末の外周を左右両側から抱き込むようにして、かしめられるようになっている。
【００３４】
素線１１を構成する金属材料の引張強さ（ＪＩＳ  Ｚ２２４１）は、雌端子２０を構成する金属材料の引張強さ（ＪＩＳ  Ｚ２２４１）よりも大きい。素線１１を構成する金属材料としては、引張強さが４００ＭＰａ〜１０００ＭＰａのものを好適に使用することができるが、引張強さの値は上記の範囲に限定されない。雌端子２０を構成する金属材料としては、引張強さが２００ＭＰａ〜４００ＭＰａのものを好適に使用することができるが、引張強さの値は上記の範囲に限定されない。
【００３５】
（圧着構造）
図２に示すように、芯線１２の外周にワイヤーバレル２５Ｌ，２５Ｒが圧着した状態においては、ワイヤーバレル２５Ｌ，２５Ｒから加えられる圧力により、各素線１１の断面形状は円形状から歪んだものとなっている。
【００３６】
芯線１２の外周にワイヤーバレル２５Ｌ，２５Ｒが圧着した状態において、ワイヤーバレル２５Ｌ，２５Ｒの先端部の下方の位置には、３本の素線１１が芯線１２の延びる方向と交差する交差方向（左右方向）に並んでいる。この３本の素線１１は、右側から順に、第１素線１１Ｊ、第２素線１１Ｋ、第３素線１１Ｌとされる。第１〜第３素線１１Ｊ，１１Ｋ，１１Ｌの中に、中心素線１１Ａが含まれていてもよく、また、含まれていなくてもよい。
【００３７】
３本の素線１１Ｊ，１１Ｋ，１１Ｌの下方には、４本の素線１１が、芯線１２の延びる方向と交差する方向（左右方向）に並んで位置している。これら４本の素線１１は底部２２の内面に載置された状態になっている。これにより、４本の素線１１と底部２２の内面とは電気的に接続されている。
【００３８】
ワイヤーバレル２５Ｌ，２５Ｒの内面は、底部２２の内面に載置された４本の素線１１のうち左右両側部に位置する２本の素線１１と、第１素線１１Ｊと、第３素線１１Ｌと接触している。これにより、ワイヤーバレル２５Ｌ，２５Ｒと、４本の素線１１と、第１素線１１Ｊと、第３素線１１Ｌとが電気的に接続される。
【００３９】
一対のワイヤーバレル２５Ｌ，２５Ｒのうち右側のワイヤーバレル２５Ｒの先端部は、第１素線１１Ｊと第２素線１１Ｋとの間に入り込んでいる。また、左側のワイヤーバレル２５Ｌの先端部は、第２素線１１Ｋと第３素線１１Ｌとの間に入り込んでいる。これにより、ワイヤーバレル２５Ｌ，２５Ｒは、第２素線１１Ｋと電気的に接続される。
【００４０】
ワイヤーバレル２５Ｌ，２５Ｒの先端部の、第１素線１１Ｊと第２素線１１Ｋとの間、及び、第２素線１１Ｋと第３素線１１Ｌとの間に入り込んだ嵌入寸法Ｆは、ワイヤーバレル２５Ｌ，２５Ｒが芯線１２に圧着される前の状態における素線１１の半径Ｒｗを同じか、又は、半径Ｒｗより大きい。
【００４１】
一対のワイヤーバレル２５Ｌ，２５Ｒのうち、第１素線１１Ｊと第２素線１１Ｋとの間、及び、第２素線１１Ｋと第３素線１１Ｌとの間から露出した部分であって、第２素線１１Ｋの上方の位置には、互いに当接する当接部２７が設けられている。各当接部２７は、左右方向から強く押し付けられた状態で、互いに密着して面接触している。
【００４２】
図２に示すように、芯線１２に圧着された状態のワイヤーバレル２５Ｌ，２５Ｒの外面の曲率半径は符号Ｒｂで表されている。本実施形態においては、芯線１２に圧着された状態における一対のワイヤーバレル２５Ｌ，２５Ｒのそれぞれの外面の曲率半径Ｒｂは、一対のワイヤーバレル２５Ｌ，２５Ｒが芯線１２に圧着される前の状態における、ワイヤーバレル２５Ｌ，２５Ｒの厚さ寸法Ｔ、及び素線１１の半径Ｒｗと、下記の式（１）の関係を充足するようになっている。
Ｒｂ＞Ｔ＋Ｒｗ              式（１）
【００４３】
図３に示すように、一対のワイヤーバレル２５Ｌ，２５Ｒが芯線１２に圧着された状態における、底部２２の左右方向についての幅寸法Ｗは、一対のワイヤーバレル２５Ｌ，２５Ｒが芯線１２に圧着される前の状態における素線１１の直径Ｄｗと、下記の式（２）の関係を充足するようになっている。
Ｗ＞４×Ｄｗ            式（２）
【００４４】
図４に示すように、一対のワイヤーバレル２５Ｌ，２５Ｒが芯線１２に圧着された状態においては、底部２２は、左右方向における中央部が外方（下方）に膨出している。底部２２の内面における、左右方向の中央部と、左右方向の両端部との間の高さ寸法は、符号Ｈｂで表されている。この高さ寸法Ｈｂは、一対のワイヤーバレル２５Ｌ，２５Ｒが芯線１２に圧着される前の状態における素線１１の半径Ｒｗと、下記の式（３）の関係を充足するようになっている。
Ｈｂ＞Ｒｗ              式（３）
【００４５】
図６に、クリンパ３１とアンビル３０によって雌端子２０のワイヤーバレル２５Ｌ，２５Ｒを芯線１２に圧着する工程を示す。アンビル３０の上面に、雌端子２０を載置し、底部２２の上面に電線１３を載置する。その後、クリンパ３１を上方からアンビル３０に接近させ、ワイヤーバレル２５Ｌ，２５Ｒと、インシュレーションバレル２６と、を電線１３に圧着する。
【００４６】
アンビル３０の上面には、雌端子２０の底部２２が載置されるようになっている。アンビル３０の上面は、左右方向の中央部が下方に陥没して形成されている。アンビル３０の上面の形状は、ワイヤーバレル２５Ｌ，２５Ｒの底部２２の外面に転写される。これにより、アンビル３０の上面のうち、左右方向の中央部と、左右方向の両端部との間の高さ寸法は、上記したＨｂと一致するようになっている。
【００４７】
クリンパ３１の下面には、ワイヤーバレル２５Ｌ，２５Ｒの先端部が摺接する曲面が形成されている。クリンパ３１の下面の形状は、ワイヤーバレル２５Ｌ，２５Ｒの外面に転写される。これにより、クリンパ３１の下面に形成された曲面の曲率半径は、上記したＲｂと一致するようになっている。
【００４８】
（実施形態の作用、効果）
続いて、本実施形態の作用、効果について説明する。本実施形態に係る端子付き電線１０は、芯線１２を有する電線１３の芯線１２に雌端子２０が接続された端子付き電線１０であって、雌端子２０は、芯線１２が載置される底部２２から延出されて、芯線１２の外周に巻き付くように圧着される一対のワイヤーバレル２５Ｌ，２５Ｒを有し、芯線１２は、雌端子２０を構成する金属の引張強さよりも大きな引張強さを有する金属からなる複数の素線１１を含み、一対のワイヤーバレル２５Ｌ，２５Ｒが芯線１２に圧着された状態において、一対のワイヤーバレル２５Ｌ，２５Ｒの内側には、複数の素線１１のうち、少なくとも、第１素線１１Ｊと、第２素線１１Ｋと、第３素線１１Ｌとが、芯線１２の延び方向と交差する交差方向（左右方向）に並んでおり、ワイヤーバレル２５Ｒの先端部は、第１素線１１Ｊと第２素線１１Ｋとの間に入り込んでおり、ワイヤーバレル２５Ｌの他方の先端部は、第２素線１１Ｋと第３素線１１Ｌとの間に入り込んでいる。
【００４９】
本実施形態の作用効果を説明するために、図７に、比較例として、一対のワイヤーバレル５５Ｌ，５５Ｒの先端部が、芯線５２を構成する複数の素線５１の間に入り込んでいない形態を示す。このような場合に、温度の上昇及び下降等により、ワイヤーバレル５５Ｌ，５５Ｒが膨張及び収縮することにより、ワイヤーバレル５５Ｌ，５５Ｒが拡開変形する方向の力が作用した場合、ワイヤーバレル５５Ｌ，５５Ｒの先端部は複数の素線５１によって挟持されていないので、ワイヤーバレル５５Ｌ，５５Ｒは拡開変形してしまう。すると、ワイヤーバレル５５Ｌ，５５Ｒと芯線５２との間に隙間が生じてしまうので、端子と電線との電気的な接続信頼性が低下してしまうのである。
【００５０】
これに対し、本実施形態によれば、一対のワイヤーバレル２５Ｌ，２５Ｒの双方の先端部は、第１素線１１Ｊ、第２素線１１Ｋ、及び第３素線１１Ｌによって挟持されるので、一対のワイヤーバレル２５Ｌ，２５Ｒが開くことを抑制することができる。これにより、電線１３と雌端子２０との電気的な接続信頼性を向上させることができる。
【００５１】
また、本実施形態によれば、一対のワイヤーバレル２５Ｌ，２５Ｒの先端部の、第１素線１１Ｊと第２素線１１Ｋとの間、及び、第２素線１１Ｋと第３素線１１Ｌとの間に入り込んだ嵌入寸法Ｆは、一対のワイヤーバレル２５Ｌ，２５Ｒが芯線１２に圧着される前の状態における各複数の素線１１の半径Ｒｗと同じか、又は、より大きく設定されている。
【００５２】
上記の構成によれば、一対のワイヤーバレル２５Ｌ，２５Ｒの先端部は、第１素線１１Ｊ、第２素線１１Ｋ、及び第３素線１１Ｌの間に、少なくとも素線１１の半径Ｒｗと同じか、又はより深く入り込む。これにより、一対のワイヤーバレル２５Ｌ，２５Ｒの先端部は、第１素線１１Ｊ、第２素線１１Ｋ、及び第３素線１１Ｌによって確実に挟持されるので、電線１３と雌端子２０との電気的な接続信頼性を一層向上させることができる。
【００５３】
また、芯線１２が比較的に細径である場合には、芯線１２の破断を抑制するために、芯線１２を構成する素線１１の引張強度を比較的に大きくすることが求められる。このように、複数の素線１１が７本以下であるような、芯線１２が比較的に細径である場合に、本願明細書に開示された技術を有効に適用することができる。
【００５４】
また、本実施形態によれば、一対のワイヤーバレル２５Ｌ，２５Ｒのうち、第１素線１１Ｊと第２素線１１Ｋとの間、及び、第２素線１１Ｋと第３素線１１Ｌとの間から露出した部分には、互いに当接する当接部２７が形成されている。
【００５５】
上記の構成によれば、当接部２７において一対のワイヤーバレル２５Ｌ，２５Ｒが当接することにより、一対のワイヤーバレル２５Ｌ，２５Ｒが開くことを抑制することができる。これにより、電線１３と雌端子２０との電気的な接続信頼性を一層向上させることができる。
【００５６】
また、本実施形態によれば、芯線１２に圧着された状態における一対のワイヤーバレル２５Ｌ，２５Ｒのそれぞれの外面の曲率半径Ｒｂは、一対のワイヤーバレル２５Ｌ，２５Ｒが芯線１２に圧着される前の状態におけるワイヤーバレル２５Ｌ，２５Ｒの厚さ寸法Ｔ、及び素線１１の半径Ｒｗと、下記の式（１）の関係を充足する。
Ｒｂ＞Ｔ＋Ｒｗ      式（１）
【００５７】
上記の構成によれば、一対のワイヤーバレル２５Ｌ，２５Ｒのうち屈曲した形状をなす部分の内側の領域に、少なくとも１本の素線１１を収容可能なスペースを設けることができる。これにより、一対のワイヤーバレル２５Ｌ，２５Ｒの先端部を、芯線１２の内部により深く入り込ませることができる。
【００５８】
また、本実施形態によれば、複数の素線１１は７本であり、一対のワイヤーバレル２５Ｌ，２５Ｒが芯線１２に圧着された状態における、底部２２の交差方向についての幅寸法Ｗは、一対のワイヤーバレル２５Ｌ，２５Ｒが芯線１２に圧着される前の状態における素線１１の直径Ｄｗと、下記の式（２）の関係を充足する。
Ｗ＞４×Ｄｗ      式（２）
【００５９】
上記の構成によれば、底部２２の内部において、少なくとも４本の素線１１が交差方向に並ぶスペースを確保することができる。これにより、底部２２に並べられた４つの素線１１に重ねて、一対のワイヤーバレル２５Ｌ，２５Ｒの内側の位置に、第１素線１１Ｊ、第２素線１１Ｋ、及び第３素線１１Ｌを確実に配置することができる。これにより、の先端部を、第１素線１１Ｊ、第２素線１１Ｋ、及び第３素線１１Ｌの間に入り込ませることができる。
【００６０】
また、本実施形態によれば、一対のワイヤーバレル２５Ｌ，２５Ｒが芯線１２に圧着された状態で、底部２２は交差方向における中央部が外方に膨出しており、底部２２の内面における、左右方向の中央部と、左右方向の端部との間の高さ寸法Ｈｂは、一対のワイヤーバレル２５Ｌ，２５Ｒが芯線１２に圧着される前の状態における素線１１の半径Ｒｗと、下記の式（３）の関係を充足する。
Ｈｂ＞Ｒｗ      式（３）
【００６１】
上記の構成によれば、底部２２の内部において、左右方向の中央位置に配された素線１１は、左右方向の両端部に配された素線１１よりも、少なくとも素線１１の半径の分だけ外方にずれた位置に配されている。これにより、第２素線１１Ｋを、少なくとも素線１１の半径の分だけ外方にずれた位置に配することができる。これにより、一対のワイヤーバレル２５Ｌ，２５Ｒの先端部を、芯線１２の内部により深く入り込ませることができる。
【００６２】
＜他の実施形態＞
本明細書に開示された技術は上記記述及び図面によって説明した実施形態に限定されるものではなく、例えば次のような実施形態も本明細書に開示された技術の技術的範囲に含まれる。
【００６３】
（１）本実施形態においては雌端子２０として雌端子２０を例示したが、これに限られず、雌端子２０は、雄端子でもよく、丸端子でもよく、任意の形状とすることができる。また、端子は、電線１３の端部に接続されるものでなく、複数の電線１３を接続するスプライス端子でもよい。
【００６４】
（２）ワイヤーバレル２５Ｌ，２５Ｒのうち芯線１２に接触する面には、凹部及び突部の一方又は双方が形成されていてもよい
【００６５】
（３）本実施形態においては、電線１３は７本の芯線１２を有する構成としたが、これに限られず、芯線１２を構成する素線１１の本数は７本に限定されない。また、複数の素線１１は、撚り合わされていなくてもよい。
【００６６】
（４）本実施形態においては、電線１３は、芯線１２の外周が絶縁被覆１４で覆われる構成としたが、これに限られず、電線１３は、いわゆる裸電線でもよい。
【符号の説明】
【００６７】
１０：端子付き電線
１１：素線
１１Ｊ：第１素線
１１Ｋ：第２素線
１１Ｌ：第３素線
１２：芯線
１３：電線
２０：雌端子
２２：底部
２５Ｌ，２５Ｒ：ワイヤーバレル
２７：当接部
【図１】
2019114516.tif 000003
【図２】
2019114516.tif 000004
【図３】
2019114516.tif 000005
【図４】
2019114516.tif 000006
【図５】
2019114516.tif 000007
【図６】
2019114516.tif 000008
【図７】
2019114516.tif 000009